【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
サーバーと、
ディスプレイと、
サーバー上に存在し、複数の照合デジタル画像を記憶しているデータベースと、
無線デバイスからのデジタル画像と、そのデジタル画像とおおよそ一致する少なくとも１つの照合デジタル画像を、ディスプレイに表示する手段と、
その１つの照合デジタル画像から位置を識別する手段
を備えることを特徴とする無線デバイスの位置特定装置。
【請求項２】
デジタル画像に関連付けられた複数のセルサイトの特性を処理して、アクセスする複数の照合デジタル画像を決定する手段
を備えることを特徴とする請求項１の装置。
【請求項３】
デジタル画像に衛星測位システムデータが関連付けられていることを特徴とする請求項１の装置。
【請求項４】
デジタル画像に関連付けられた機能識別子をサーバーによって受信する手段と、
デジタル画像の受信に応じて無線デバイスに向けて複数のデータを送信する手段と、
をさらに備えることを特徴とする請求項１の装置。
【請求項５】
前記機能識別子はＥ９１１を示す信号であることを特徴とする請求項４の装置。
【請求項６】
前記機能識別子は方位の要求であることを特徴とする請求項４の装置。
【請求項７】
入力ユニットと、
デジタル画像を生成する撮像装置と、
位置データを受信する衛星測位システム受信機と、
送信機と、
入力ユニットに応じて撮像装置を起動し、デジタル画像に位置データを関連付け、送信機によって送信するコントローラ
を備えることを特徴とする無線装置。
【請求項８】
前記衛星測位システム受信機は、
全地球的測位システム受信機と、
全地球的測位システムプロセッサ
を備えることを特徴とする請求項７の無線装置。
【請求項９】
前記コントローラは、Ｅ９１１信号を入力ユニットから受信し、撮像装置を起動し、位置データ及び関連付けられたデジタル画像をＥ９１１センターへ送信することを特徴とする請求項７の無線装置。
【請求項１０】
応答を受信する受信機と、
コントローラによって制御され、応答を表示するディスプレイ
をさらに備えることを特徴とする請求項７の無線装置。
【請求項１１】
前記応答はデジタル画像の応答であることを特徴とする請求項１０の無線装置。
【請求項１２】
ディスプレイ、入力ユニットおよび撮像装置と通信可能なコントローラを備える無線デバイスと、
入力ユニットに応じて無線デバイスによって計測された複数のセルサイト特性にコントローラによって関連付けられたデジタル画像をサーバーに送信する無線デバイスの送信機と、
無線デバイスからのデジタル画像及びセルサイト特性の受信に応じてアクセスされる複数の照合デジタル画像を備えるサーバー上に存在するデータベースと、
複数の照合デジタル画像から１つを選択することによって、無線デバイスの位置を識別する手段
を備えることを特徴とする無線システム。
【請求項１３】
位置データを得る無線デバイスに内蔵されている衛星測位システム受信機をさらに備え、その位置データはコントローラによってデジタル画像に関連付けられることを特徴とする請求項１２のシステム。
【請求項１４】
無線デバイスの位置の識別に応じて無線デバイスに向けてサーバーによって送信される応答メッセージを受信する受信機をさらに備え、その応答メッセージはコントローラによってディスプレイ上に表示されることを特徴とする請求項１２のシステム。
【請求項１５】
前記応答メッセージは、応答デジタル画像であることを特徴とする請求項１２のシステム。
【請求項１６】
サーバーで無線デバイスからのデジタル画像を受信する工程と、
サーバーと通信可能なデータベースにアクセスする工程と、
デジタル画像とともに複数の照合デジタル画像の少なくとも１つを表示する工程と、
デジタル画像と複数の照合デジタル画像の少なくとも１つとの比較から無線デバイスの位置を識別する工程
を備えることを特徴とする無線デバイスの位置を特定する方法。
【請求項１７】
デジタル画像に関連付けられた複数のセルサイト特性を処理する工程と、
前記セルサイト特性の処理に応じて複数の照合デジタル画像を識別する工程
を備えることを特徴とする請求項１６の方法。
【請求項１８】
デジタル画像に関連付けられた衛星測位システムデータを受信する工程と、
衛星測位システムデータの受信に応じて複数の照合デジタル画像を識別する工程
を備えることを特徴とする請求項１６の方法。
【請求項１９】
デジタル画像に関連付けられた機能識別子をサーバーで受信する工程と、
デジタル画像の受信に応じて無線デバイスに向けて複数のデータを送信する工程
をさらに備えることを特徴とする請求項１６の方法。
【請求項２０】
前記機能識別子はＥ９１１を示す信号であることを特徴とする請求項１９の方法。
【請求項２１】
コントローラが入力ユニットから信号を受信するのに応じて撮像装置を起動する工程と、
衛星測位システムからの位置データにデジタル画像を関連付ける工程と、
デジタル画像及び関連付けられた位置データを送信する工程
を備えることを特徴とする無線装置の位置特定方法。
【請求項２２】
前記衛星測位システムは全地球的測位システムであって、
全地球的測位システム受信機で位置データ信号を受信する工程と、
全地球的測位システムプロセッサを用いて位置データ信号から位置データを得る工程
をさらに備えることを特徴とする請求項２１の方法。
【請求項２３】
入力ユニットからのＥ９１１信号をコントローラで受信する工程と、
位置データ及び関連付けられたデジタル画像をＥ９１１センターに送信する工程
を備えることを特徴とする請求項２１の方法。
【請求項２４】
デジタル画像及び位置データの送信に応じて受信機によって受信される応答をディスプレイ上に表示する工程をさらに備えることを特徴とする請求項２１の方法。
【請求項２５】
前記応答はデジタル画像の応答であることを特徴とする請求項２４の方法。
【請求項２６】
サーバーで無線デバイスからのデジタル画像を受信する手段と、
サーバーと通信可能なデータベースにアクセスする手段と、
デジタル画像とともに複数の照合デジタル画像の少なくとも１つを表示する手段と、
デジタル画像と複数の照合デジタル画像の少なくとも１つとの比較から無線デバイスの位置を識別する手段
を備えることを特徴とする無線デバイスの位置を特定する装置。
【請求項２７】
デジタル画像に関連付けられた複数のセルサイト特性を処理する手段と、
前記セルサイト特性の処理に応じて複数の照合デジタル画像を識別する手段
を備えることを特徴とする請求項２６の装置。
【請求項２８】
デジタル画像に関連付けられた衛星測位システムデータを受信する手段と、
衛星測位システムデータの受信に応じて複数の照合デジタル画像を識別する手段
を備えることを特徴とする請求項２６の装置。
【請求項２９】
デジタル画像に関連付けられた機能識別子をサーバーで受信する手段と、
デジタル画像の受信に応じて無線デバイスに向けて複数のデータを送信する手段
をさらに備えることを特徴とする請求項２６の装置。
【請求項３０】
前記機能識別子はＥ９１１を示す信号であることを特徴とする請求項２９の装置。
【請求項３１】
前記機能識別子は方位の要求であることを特徴とする請求項２９の装置。
【請求項３２】
コントローラが入力ユニットから信号を受信するのに応じて撮像装置を起動する手段と、
衛星測位システムからの位置データにデジタル画像を関連付ける手段と、
デジタル画像及び関連付けられた位置データを送信する手段
を備えることを特徴とする無線装置。
【請求項３３】
前記衛星測位システムは全地球的測位システムであって、
全地球的測位システム受信機で位置データ信号を受信する手段と、
全地球的測位システムプロセッサを用いて位置データ信号から位置データを得る手段
をさらに備えることを特徴とする請求項３２の装置。
【請求項３４】
入力ユニットからのＥ９１１信号をコントローラで受信する手段と、
位置データ及び関連付けられたデジタル画像をＥ９１１センターに送信する手段
を備えることを特徴とする請求項３２の装置。
【請求項３５】
デジタル画像及び位置データの送信に応じて受信機によって受信される応答をディスプレイ上に表示する手段をさらに備えることを特徴とする請求項３２の装置。
【請求項３６】
前記応答はデジタル画像の応答であることを特徴とする請求項３５の装置。
【請求項３７】
無線デバイスの位置を特定するための機械で読み込み可能な命令セットの信号記憶済みのメディアであって、
サーバーで無線デバイスからのデジタル画像を受信するステップと、
サーバーと通信可能なデータベースにアクセスするステップと、
デジタル画像とともに複数の照合デジタル画像の少なくとも１つを表示するステップと、
デジタル画像と複数の照合デジタル画像の少なくとも１つとの比較から無線デバイスの位置を識別するするステップ
を備えることを特徴とする信号記憶済みのメディア。
【請求項３８】
デジタル画像に関連付けられた複数のセルサイト特性を処理するステップと、
前記セルサイト特性の処理に応じて複数の照合デジタル画像を識別するステップ
を備えることを特徴とする請求項３７の信号記憶済みのメディア。
【請求項３９】
デジタル画像に関連付けられた衛星測位システムデータを受信するステップと、
衛星測位システムデータの受信に応じて複数の照合デジタル画像を識別するステップ
を備えることを特徴とする請求項３７の信号記憶済みのメディア。
【請求項４０】
デジタル画像に関連付けられた機能識別子をサーバーで受信するステップと、
デジタル画像の受信に応じて無線デバイスに向けて複数のデータを送信するステップ
をさらに備えることを特徴とする請求項３７の信号記憶済みのメディア。
【請求項４１】
前記機能識別子はＥ９１１を示す信号であることを特徴とする請求項４０の信号記憶済みのメディア。
【請求項４２】
前記機能識別子は方位の要求であることを特徴とする請求項４０の信号記憶済みのメディア。
【請求項４３】
無線装置の位置を特定するための機械で読み込み可能な命令を備える信号記憶済みのメディアであって、
コントローラが入力ユニットから信号を受信するのに応じて撮像装置を起動するステップと、
衛星測位システムからの位置データにデジタル画像を関連付けるステップと、
デジタル画像及び関連付けられた位置データを送信するステップ
を備えることを特徴とする信号記憶済みのメディア。
【請求項４４】
前記衛星測位システムは全地球的測位システムであって、
全地球的測位システム受信機で位置データ信号を受信するステップと、
全地球的測位システムプロセッサを用いて位置データ信号から位置データを得るステップ
をさらに備えることを特徴とする請求項４３の信号記憶済みのメディア。
【請求項４５】
デジタル画像及び位置データの送信に応じて受信機によって受信される応答をディスプレイ上に表示するステップをさらに備えることを特徴とする請求項４３の信号記憶済みのメディア。
【請求項４６】
前記応答はデジタル画像の応答であることを特徴とする請求項４５の信号記憶済みのメディア。
【請求項４７】
位置データにアクセス可能なコントローラと、
コントローラと電気的に通信可能な撮像装置と、
コントローラと電気的に通信可能であって、コントローラに撮像装置の起動とデジタル画像の生成を行わせるメッセージを受信する受信機
を備え、前記コントローラは位置データをデジタル画像に関連付けることを特徴とする無線装置。
【請求項４８】
表示端末における表示のためにデータ形式が整えられたデジタル画像及び関連付けられた位置データを送信する送信機
をさらに備えることを特徴とする請求項４７の無線装置。
【請求項４９】
コントローラと電気的に通信可能なメモリを備え、
コントローラはデジタル画像及び関連付けられた位置データをそのメモリに記憶することを特徴とする請求項４７の無線装置。
【請求項５０】
前記位置データはＧＰＳ位置データであることを特徴とする請求項４７の無線装置。
【請求項５１】
前記メッセージは他の無線デバイスから送信されることを特徴とする請求項４７の無線装置。
【請求項５２】
無線装置の位置を特定する方法であって、
無線デバイスの受信機で添付メッセージを受信する工程と、
添付メッセージがコントローラによって処理されるのに応じて、撮像装置を起動し、デジタル画像を生成する工程と、
コントローラを介して位置データをデジタル画像に関連付ける工程
を備えることを特徴とする方法。
【請求項５３】
表示端末にあわせてデータ形式が整えられたデジタル画像及び関連付けられた位置データを、コントローラによって制御された送信機を介して送信する工程をさらに備えることを特徴とする請求項５２の方法。
【請求項５４】
デジタル画像及び関連付けられた位置データを、コントローラと電気的に通信可能なメモリに記憶する工程をさらに備えることを特徴とする請求項５２の方法。
【請求項５５】
前記位置データはＧＰＳ位置データであることを特徴とする請求項５２の方法。
【請求項５６】
前記添付メッセージは他の無線デバイスから受信されることを特徴とする請求項５２の方法。
【請求項５７】
無線装置の位置を特定する装置であって、
無線デバイスの受信機で添付メッセージを受信する手段と、
添付メッセージがコントローラによって処理されるのに応じて、撮像装置を起動し、デジタル画像を生成する手段と、
位置データをデジタル画像に関連付ける手段
を備えることを特徴とする装置。
【請求項５８】
表示端末にあわせてデータ形式が整えられたデジタル画像及び関連付けられた位置データを、コントローラの制御のもとで送信する手段をさらに備えることを特徴とする請求項５７の装置。
【請求項５９】
デジタル画像及び関連付けられた位置データを記憶する記憶手段をさらに備えることを特徴とする請求項５７の装置。
【請求項６０】
位置データにアクセス可能なコントローラと、
コントローラと電気的に通信可能な撮像装置と、
コントローラと電気的に通信可能であって、コントローラに撮像装置の起動とデジタル画像の生成を行わせる入力を受信する入力ユニット
を備え、前記コントローラは位置データをデジタル画像に関連付けることを特徴とする無線装置。
【請求項６１】
コントローラと電気的に通信可能なメモリをさらに備え、
コントローラはデジタル画像及び関連付けられた位置データをそのメモリに記憶することを特徴とする請求項６０の無線装置。
【請求項６２】
前記位置データはＧＰＳ位置データであることを特徴とする請求項６０の無線装置。
【請求項６３】
無線装置の位置を特定する方法であって、
入力ユニットから入力を受信する工程と
入力がコントローラによって処理されるのに応じて、撮像装置を起動し、デジタル画像を生成する工程と、
コントローラを介して位置データをデジタル画像に関連付ける工程
を備えることを特徴とする方法。
【請求項６４】
デジタル画像及び関連付けられた位置データを、コントローラと電気的に通信可能なメモリに記憶する工程をさらに備えることを特徴とする請求項６３の方法。
【請求項６５】
コントローラで入力ユニットからＥ９１１信号を受信するステップと、
位置データと関連付けられたデジタル画像をＥ９１１センターに送信するステップと
を備えることを特徴とする請求項４３の信号記憶済みのメディア。
【請求項６６】
前記機能識別子は方位の要求であることを特徴とする請求項１９の方法。